(57)【要約】  差動４相位相変調（ＤＱＰＳＫ）システム、方法、及び装置が開示される。ＤＱＰＳＫシステムは、入力された第１の元の信号と第２の元の信号とをプリコーディングし、同相信号と直交信号とを生成し、同相信号を変調して第１の差動位相変調（ＤＰＳＫ）信号を生成し、直交信号を変調して第２のＤＰＳＫ信号を生成し、第１のＤＰＳＫ信号又は第２のＤＰＳＫ信号に対して９０度位相シフトを実行し、他方のＤＰＳＫ信号と干渉させてＤＱＰＳＫ信号を取得し、ＤＱＰＳＫ信号を受信器に送信するように構成された、送信器と、送信器から送信されたＤＱＰＳＫ信号を離調フィルタモードで復調し、光／電気（Ｏ／Ｅ）変換を介して、第１の元の信号と第２の元の信号とを復元するように構成された、受信器とを含む。本発明によれば、非対称マッハツェンダー干渉器（ＡＭＺＩ）の２つのアーム間の位相差に対する正確な制御が回避され、従って、信号制御及び調節が容易になり、システムコストが大幅に低下する。
2011526445.tif 000002
【特許請求の範囲】
【請求項１】
送信器を含む差動４相位相変調（ＤＱＰＳＫ）システムであって、前記送信器は、
第１の元の信号と第２の元の信号とを、所定の符号化規則に従ってプリコーディングし、同相信号と直交信号とを生成するように構成された、プリコーダと、
前記同相信号を変調して第１の差動位相変調（ＤＰＳＫ）信号を生成するように構成された、第１の変調器と、
前記直交信号を変調して第２のＤＰＳＫ信号を生成するように構成された、第２の変調器と、
前記第１のＤＰＳＫ信号又は前記第２のＤＰＳＫ信号に対して９０度位相シフトを実行し、他方のＤＰＳＫ信号と干渉させ、かつ重ね合わせてＤＱＰＳＫ信号を取得し、前記ＤＱＰＳＫ信号を受信器に送信するように構成された、干渉器と
を備える、システム。
【請求項２】
前記受信器を更に含み、
前記受信器は、
前記送信器から送信された前記ＤＱＰＳＫ信号を２つの信号に分割し、前記２つの信号を出力するように構成された、スプリッタと、
前記スプリッタによって出力された前記２つのＤＱＰＳＫ信号を復調するように構成された、復調器と
を含む、請求項１に記載のシステム。
【請求項３】
前記変調器は、マッハツェンダー変調器（ＭＺＭ）であり、
第１のＭＺＭは、変調、及び前記同相信号を使用することによる駆動を介して、前記第１のＤＰＳＫ信号を取得するように構成され、
第２のＭＺＭは、変調、及び前記直交信号を使用することによる駆動を介して、前記第２のＤＰＳＫ信号を取得するように構成され、
前記干渉器は、前記第１のＤＰＳＫ信号又は前記第２のＤＰＳＫ信号に対して前記９０度位相シフトを実行し、他方のＤＰＳＫ信号と干渉させて前記ＤＱＰＳＫ信号を取得し、前記ＤＱＰＳＫ信号を前記受信器に送信するように構成された、請求項１に記載のシステム。
【請求項４】
前記復調器は、第１の離調フィルタと、第２の離調フィルタとを備え、
前記第１の離調フィルタは、前記スプリッタによって出力された、一方のＤＱＰＳＫ信号を離調フィルタモードで復調し、前記復調されたＤＱＰＳＫ信号を出力するように構成され
前記第２の離調フィルタは、前記スプリッタによって出力された、他方のＤＱＰＳＫ信号を離調フィルタモードで復調し、前記復調されたＤＱＰＳＫ信号を出力するように構成された、請求項２に記載のシステム。
【請求項５】
前記受信器は、離調フィルタと、スプリッタとを備え、
前記離調フィルタは、前記送信器から送信された前記ＤＱＰＳＫ信号を離調フィルタモードで復調し、前記復調されたＤＱＰＳＫ信号を前記スプリッタに出力するように構成され、
前記スプリッタは、前記離調フィルタによって復調された前記信号を、２つの復調された信号に分割し、前記２つの信号を出力するように構成された、請求項１に記載のシステム。
【請求項６】
前記所定の符号化規則は、
【数１】
2011526445.tif 000015
又は
【数２】
2011526445.tif 000016
であり、ここで、ｕは前記第１の元の信号を表し、ｖは前記第２の元の信号を表し、
Ｉは前記プリコーディングされた同相信号を表し、Ｑは前記プリコーディングされた直交信号を表す、請求項１〜５のいずれか一項に記載のシステム。
【請求項７】
差動４相位相変調（ＤＱＰＳＫ）システムであって、
Ｎ個の第１の元の信号とＮ個の第２の元の信号とを、所定の符号化規則に従ってプリコーディングして、Ｎ個の同相信号とＮ個の直交信号とを生成し、前記Ｎ個の同相信号を変調してＮ個の第１の差動位相変調（ＤＰＳＫ）信号を生成し、前記Ｎ個の直交信号を変調してＮ個の第２のＤＰＳＫ信号を生成し、前記Ｎ個の第１のＤＰＳＫ信号又は前記Ｎ個の第２の信号に対して９０度位相シフトを実行し、他方のＮ個のＤＰＳＫ信号と干渉させ、かつ重ね合わせてＮ個のＤＱＰＳＫ信号を取得し、前記Ｎ個のＤＱＰＳＫ信号をＮチャネルＤＱＰＳＫ信号に多重化し、前記ＮチャネルＤＱＰＳＫ信号を受信器に送信するように構成された、送信器と、
前記送信器から送信された前記ＮチャネルＤＱＰＳＫ信号を離調フィルタモードでＮ個のＤＱＰＳＫ信号に逆多重化して、前記Ｎ個の第１の元の信号と前記Ｎ個の第２の元の信号とを復元するように構成された、前記受信器と
を備え、ここで、Ｎは２以上の整数である、システム。
【請求項８】
送信器によって、入力された第１の元の信号と第２の元の信号とをプリコーディングし、同相信号と直交信号とを生成し、前記同相信号を変調して第１の差動位相変調（ＤＰＳＫ）信号を生成し、前記直交信号を変調して第２のＤＰＳＫ信号を生成し、前記第１のＤＰＳＫ信号又は前記第２のＤＰＳＫ信号に対して９０度位相シフトを実行し、他方のＤＰＳＫ信号と干渉させて差動４相位相変調（ＤＱＰＳＫ）信号を取得すること
を含む、信号を処理する方法。
【請求項９】
前記プリコーディングすることが基づく符号化規則は、
【数３】
2011526445.tif 000017
又は
【数４】
2011526445.tif 000018
であり、ここで、ｕは前記第１の元の信号を表し、ｖは前記第２の元の信号を表し、
Ｉは前記プリコーディングされた同相信号を表し、Ｑは前記プリコーディングされた直交信号を表す、請求項８に記載の方法。
【請求項１０】
前記プリコーディングすることが基づく符号化規則は、
【数５】
2011526445.tif 000019
又は
【数６】
2011526445.tif 000020
であり、ここで、ｕは前記第１の元の信号を表し、ｖは前記第２の元の信号を表し、
Ｉは前記プリコーディングされた同相信号を表し、Ｑは前記プリコーディングされた直交信号を表す、請求項８に記載の方法。
【請求項１１】
前記送信器によって、前記ＤＱＰＳＫ信号を送信し、
受信器によって、受信されたＤＱＰＳＫ信号を離調フィルタモードで復調し、光／電気（Ｏ／Ｅ）変換を介して、前記復調された信号から、前記第１の元の信号と、前記Ｎ個の第２の元の信号とを復元すること
を更に含む、請求項８に記載の方法。
【請求項１２】
送信器によって、入力されたＮ個の第１の元の信号とＮ個の第２の元の信号とをプリコーディングし、Ｎ個の同相信号とＮ個の直交信号とを生成し、
前記Ｎ個の同相信号を変調してＮ個の第１の非ゼロ復帰差動位相変調（ＮＲＺ−ＤＰＳＫ）信号を生成し、前記Ｎ個の直交信号を変調してＮ個の第２のＤＰＳＫ信号を生成し、
前記Ｎ個のＤＰＳＫ信号又は前記Ｎ個の第２のＤＰＳＫ信号に対して９０度位相シフトを実行し、他方のＮ個のＤＰＳＫ信号と干渉させてＮ個のＤＱＰＳＫ信号を取得し、前記Ｎ個のＤＱＰＳＫ信号をＮチャネルＤＱＰＳＫ信号に多重化すること
を含み、ここで、Ｎは２以上の整数である、信号を処理する方法。
【請求項１３】
前記送信器によって、前記ＮチャネルＤＱＰＳＫ信号を送信し、
受信器によって、受信されたＮチャネルＤＱＰＳＫ信号をＮ個のＤＱＰＳＫ信号に逆多重化し、前記Ｎ個のＤＱＰＳＫ信号を離調フィルタモードで復調し、光／電気（Ｏ／Ｅ）変換を介して、前記Ｎ個の第１の元の信号と、前記Ｎ個の第２の元の信号とを復元すること
を更に含む、請求項１２に記載の方法。
【発明の詳細な説明】
【技術分野】
【０００１】
本出願は、２００８年６月３０日に中国専利局に出願された、「Ｄｉｆｆｅｒｅｎｔｉａｌ  Ｑｕａｄｒａｔｕｒｅ  Ｐｈａｓｅ  Ｓｈｉｆｔ  Ｋｅｙｉｎｇ  Ｓｙｓｔｅｍ、Ｍｅｔｈｏｄ、ａｎｄ  Ｄｅｖｉｃｅ（差動４相位相変調システム、方法、及び装置）」と題された、中国特許出願第２００８１０１２８２１２．２号の優先権を主張するものであり、当該出願はその全体が参照によって本明細書中に援用される。
【０００２】
本発明は、通信技術の分野に関し、特に、差動４相位相変調（ｄｉｆｆｅｒｅｎｔｉａｌ  ｑｕａｄｒａｔｕｒｅ  ｐｈａｓｅ  ｓｈｉｆｔ  ｋｅｙｉｎｇ）（ＤＱＰＳＫ）システム、方法、及び装置に関する。
【背景技術】
【０００３】
ＤＱＰＳＫ信号は、高いスペクトル効率を有し、同じシンボルレートの下で分散耐性を維持することが可能である。加えて、ＤＱＰＳＫ信号のシステム容量は、差動位相変調（ｄｉｆｆｅｒｅｎｔｉａｌ  ｐｈａｓｅ  ｓｈｉｆｔ  ｋｅｙｉｎｇ）（ＤＰＳＫ）信号のシステム容量と比べて２倍にもなり得る。更に、ＤＱＰＳＫ信号は、一定のエンベロープ又はほぼ一定のエンベロープを使用して送信することが可能であり、例えば、相互位相変調（ｃｒｏｓｓ−ｐｈａｓｅ  ｍｏｄｕｌａｔｉｏｎ）（ＸＰＭ）及び自己位相変調（ｓｅｌｆ−ｐｈａｓｅ  ｍｏｄｕｌａｔｉｏｎ）（ＳＰＭ）などの、様々なファイバにおける非線形効果を効果的に抑止することが可能である。これにより、ＤＱＰＳＫ信号は、高速大容量伝送システムに対してより良好に応用できることが期待される。
【０００４】
ＤＱＰＳＫ変調形式に基づくマルチチャネルシステムと、一般的なマルチチャネルシステムとの間の主な違いは、送信器及び受信器にある。送信器は、２つの並列のマッハツェンダー変調器（Ｍａｃｈ−Ｚｅｈｎｄｅｒ  ｍｏｄｕｌａｔｏｒ）（ＭＺＭ）、直列接続された１つのＭＺＭ及び１つの位相変調器（ｐｈａｓｅ  ｍｏｄｕｌａｔｏｒ）（ＰＭ）、又は、複数レベルの電気信号によって駆動される１つのＭＺＭ、による解決法を使用することによってＤＱＰＳＫ信号を生成することができる。現在は、２つの並列のＭＺＭが主に使用されている。ＤＱＰＳＫ変調形式に基づくマルチチャネルシステムの受信器は、比較的複雑である。一般に、元の信号は、２つの非対称なＭＺＭと２つのバランス検出器（ｂａｌａｎｃｅ  ｄｅｔｅｃｔｏｒ）とを使用することによってのみ復調されることが可能である。加えて、ＤＱＰＳＫ信号は、ＤＰＳＫ信号よりも、干渉器の離調に敏感である。マルチチャネルＤＱＰＳＫシステムを実装する必要がある場合、受信器の構成が複雑になり、かつ、コストがより高くなる可能性がある。
【０００５】
シングルチャネルＤＱＰＳＫシステムを例に取ると、図１に示すように、送信器は、２つの並列のＭＺＭを使用し、受信器は、２つの非対称マッハツェンダー干渉器（ａｓｙｍｍｅｔｒｉｃ  ｍａｃｈ−ｚｅｈｎｄｅｒ  ｉｎｔｅｒｆｅｒｏｍｅｔｅｒ）（ＡＭＺＩ）を使用する必要がある。２つの無関係なデータ情報ストリームｕ及びｖが、回路領域内でプリコーディングされた後、同相信号Ｉ及び直交信号Ｑに変更される。符号化規則は、以下の式（１）及び（２）で示される。
【０００６】
【数１】
2011526445.tif 000003
（１）
【０００７】
【数２】
2011526445.tif 000004
（２）
【０００８】
非ゼロ復帰（ｎｏｎ−ｒｅｔｕｒｎ−ｔｏ−ｚｅｒｏ）（ＮＲＺ）形式に基づく同相信号Ｉ及び直交信号Ｑは、プッシュプル状態で動作している２つのＭＺＭを駆動するために使用される。すなわち、２つのアームの駆動電圧の合計は、固定されたバイアス電圧である。ＭＺＭの動作条件は、以下のように設定される。バイアス点は、透過曲線（ｔｒａｎｓｍｉｓｓｉｏｎ  ｃｕｒｖｅ）の０点であり、駆動信号は、出力信号と同じ周波数を有し、駆動信号のピーク値は２Ｖπである。Ｖπは、ＭＺＭがシングルアームモードで動作する場合に、出力強度が最大値から最小値に変化するために必要となるスイッチング電圧を表す。このようにして、２つの非ゼロ復帰差動位相変調（ＮＲＺ−ＤＰＳＫ）信号が、２つのＭＺＭの出力端から取得される。この時、２つのＮＲＺ−ＤＰＳＫ信号の位相は、０又はπである。４レベル位相変調を得るためには、一方のＮＲＺ−ＤＰＳＫ信号に、π／２の追加の位相シフトが必要とされる。ＤＱＰＳＫ信号は、２つのＮＲＺ−ＤＰＳＫ信号を干渉させることによって取得される。ここで、ＤＱＰＳＫ信号は、［π／４、３π／４、５π／４、及び７π／４］という４種類の位相情報を有しているが、位相情報は、所望されるｕ及びｖを示すものではない。隣接する要素間の位相差のみが、ＤＱＰＳＫ信号によって伝送される情報である。
【０００９】
２つのＡＭＺＩが、ＤＱＰＳＫ信号を復調するために必要とされる。ＤＱＰＳＫ信号は、同じパワーを有する２つの信号に分割され、これらの２つの信号が、上のＡＭＺＩ及び下のＡＭＺIにそれぞれ入力される。上のＡＭＺＩの２つのアーム間には、１ビットの遅延と、π／４の位相差とが存在し、下のＡＭＺＩの２つのアーム間には、１ビットの遅延と、−π／４の位相差とが存在する。ＡＭＺＩ内に１ビットの遅延が存在するため、２つの隣接するビット間の位相差を抽出することが可能である。元のデータｕは、上のＡＭＺＩの２つの出力端上で実行されるバランス検出によって取得することが可能であり、元のデータｖは、下のＡＭＺＩ上で実行されるバランス検出によって取得することが可能である。
【００１０】
図２は、シングルチャネルＤＱＰＳＫ信号を生成及び復調するための解決法に基づいた、マルチチャネルＤＱＰＳＫシステムを示す。送信器においては、異なる波長を有するＮ個の光信号が、異なるＤＱＰＳＫ信号生成モジュールに供給される。これらのＤＱＰＳＫ信号生成モジュールは、複数のＤＱＰＳＫ信号を出力する。出力されたＤＱＰＳＫ信号は、マルチプレクサによって多重化され、エルビウムドープ光ファイバ増幅器（ＥＤＦＡ）によって増幅された後に、ファイバリンク内で伝送される。受信器においては、前置ＥＤＦＡによって信号が増幅された後、対応するデマルチプレクサによって、Ｎ個の信号に逆多重化される。そして、これらの信号は、異なるＤＱＰＳＫ復調モジュールによって、元のデータストリームに復調される。この時、システム内のマルチプレクサ及びデマルチプレクサのチャネル中心波長は、元のＤＱＰＳＫ信号のキャリア波長と整合させられる。
【発明の概要】
【発明が解決しようとする課題】
【００１１】
従来の技術では、受信器の各信号が、２つのＡＭＺＩと２つのバランス検出器とを使用することによって復調されなければならず、システム構成がより複雑になっている。ＡＭＺＩ位相シフトに対する制御は正確でなければならず、確定されたＡＭＺＩが、確定された動作レート（ｗｏｒｋｉｎｇ  ｒａｔｅ）にのみ適用可能である。これは、信号制御及び調節のためには不都合であり、信号が、デマルチプレクサによって逆多重化され、複数回、結合及び分割された後の、信号パワーの損失は大きい。
【課題を解決するための手段】
【００１２】
本発明の実施形態は、ＤＱＰＳＫシステム、方法、及び装置を提供する。高密度波長分割多重（ＤＷＤＭ）システム内で、ＤＱＰＳＫ信号を復調し、かつ、マルチプレクサ及びデマルチプレクサを使用することによって、受信器にさらなる位相復調構成要素を追加することなく、複数のチャネル上でのＤＱＰＳＫ信号伝送を実施することが可能となる。
【００１３】
ＤＱＰＳＫシステムは、送信器を含み、送信器は、
入力された第１の元の信号と第２の元の信号とを、所定の符号化規則に従ってプリコーディングし、同相信号と直交信号とを生成するように構成された、プリコーダと、
同相信号を変調して第１のＤＰＳＫ信号を生成するように構成された、第１の変調器と、
直交信号を変調して第２のＤＰＳＫ信号を生成するように構成された、第２の変調器と、
第１のＤＰＳＫ信号又は第２のＤＰＳＫ信号に対して９０度位相シフトを実行し、他方のＤＰＳＫ信号と干渉させ、かつ重ね合わせてＤＱＰＳＫ信号を取得し、ＤＱＰＳＫ信号を受信器に送信するように構成された、干渉器とを含む。
【００１４】
ＤＱＰＳＫシステムは、受信器を更に含み、受信器は、
送信器から送信されたＤＱＰＳＫ信号を２つの信号に分割し、これらの２つの信号を出力するように構成された、スプリッタと、
スプリッタによって出力された２つのＤＱＰＳＫ信号を復調するように構成された、復調器とを含む。
【００１５】
ＤＱＰＳＫシステムは、
Ｎ個の第１の元の信号とＮ個の第２の元の信号とを、所定の符号化規則に従ってプリコーディングして、Ｎ個の同相信号とＮ個の直交信号とを生成し、Ｎ個の同相信号を変調してＮ個の第１のＤＰＳＫ信号を生成し、Ｎ個の直交信号を変調してＮ個の第２の信号を生成し、Ｎ個の第１のＤＰＳＫ信号又はＮ個の第２のＤＰＳＫ信号に対して９０度位相シフトを実行し、他方のＮ個のＤＰＳＫ信号と干渉させ、かつ重ね合わせてＮ個のＤＱＰＳＫ信号を取得し、Ｎ個のＤＱＰＳＫ信号をＮチャネルＤＱＰＳＫ信号に多重化し、ＮチャネルＤＱＰＳＫ信号を受信器に送信するように構成された、送信器と、
送信器から送信されたＮチャネルＤＱＰＳＫ信号をＮ個のＤＱＰＳＫ信号に逆多重化し、Ｎ個のＤＱＰＳＫ信号を離調フィルタモード（ｄｅｔｕｎｅｄ  ｆｉｌｔｅｒ  ｍｏｄｅ）で復調し、Ｎ個の第１の元の信号とＮ個の第２の元の信号とを復元するように構成された、受信器とを含む。ここで、Ｎは２以上の整数である。
【００１６】
信号を処理する方法は、
送信器によって、入力された第１の元の信号と第２の元の信号とをプリコーディングし、同相信号と直交信号とを生成し、同相信号を変調して第１のＤＰＳＫ信号を生成し、直交信号を変調して第２のＤＰＳＫ信号を生成し、第１のＤＰＳＫ信号又は第２のＤＰＳＫ信号に対して９０度位相シフトを実行し、他方のＤＰＳＫ信号と干渉させてＤＱＰＳＫ信号を取得することを含む。
【００１７】
信号を処理する別の方法は、
送信器によって、入力されたＮ個の第１の元の信号とＮ個の第２の元の信号とをプリコーディングし、Ｎ個の同相信号とＮ個の直交信号とを生成し、
Ｎ個の同相信号を変調してＮ個の第１のＮＲＺ−ＤＰＳＫ信号を生成し、Ｎ個の直交信号を変調してＮ個の第２のＤＰＳＫ信号を生成し、
Ｎ個の第１のＤＰＳＫ信号又はＮ個の第２のＤＰＳＫ信号に対して９０度位相シフトを実行し、他方のＮ個のＤＰＳＫ信号と干渉させてＮ個のＤＱＰＳＫ信号を取得し、Ｎ個のＤＱＰＳＫ信号をＮチャネルＤＱＰＳＫ信号に多重化することを含み、ここで、Ｎは２以上の整数である。
【発明の効果】
【００１８】
本発明の実施形態では、受信器において、ＤＱＰＳＫ信号を復調するために、２つの離調フィルタが使用される。これにより、２つのＡＭＺＩと２つのバランス検出器とが復調のために使用される、従来技術におけるＤＱＰＳＫ復調解決策が単純化され、ＡＭＺＩの２つのアーム間の位相差に対する正確な制御を実行する必要がなくなり、信号制御及び調節が容易になり、システムコストが大幅に低下する。
【図面の簡単な説明】
【００１９】
【図１】従来技術における、ＤＱＰＳＫ信号の生成及び復調を示す概略図である。
【図２】従来技術におけるマルチチャネルＤＱＰＳＫシステムを示す概略図である。
【図３】本発明の第１の実施形態における送信器を示す概略図である。
【図４】本発明の第１の実施形態における受信器を示す概略図である。
【図５】本発明の第１の実施形態における別の受信器を示す概略図である。
【図６】本発明の第３の実施形態における送信器を示す概略図である。
【図７】本発明の第４の実施形態における受信器を示す概略図である。
【図８】本発明の第５の実施形態における送信器を示す概略図である。
【図９】本発明の第７の実施形態におけるＤＱＰＳＫ信号生成モジュールを示す概略図である。
【図１０】本発明の第８の実施形態におけるＤＱＰＳＫ信号復号モジュールを示す概略図である。
【図１１】本発明の第９の実施形態における、アレイ導波路回折格子（ＡＷＧ）バイアスチャネルのスペクトルを示す概略図である。
【図１２】本発明の第１０の実施形態における、ＤＱＰＳＫ変調フォーマットに基づくＤＷＤＭシステムの構成を示す。
【図１３】本発明の第１１の実施形態における、４０Ｇｂｐｓ  ＤＱＰＳＫシステムの受信器の構成を示す。
【図１４】本発明の実施形態における、アドドロップマルチプレクサ（ａｄｄ／ｄｒｏｐ  ｍｕｌｔｉｐｌｅｘｅｒ）（ＡＤＭ）を有するＤＱＰＳＫシステムの受信器の構成を示す。
【図１５Ａ】本発明の第１２の実施形態におけるアナログ伝送システムを示す。
【図１５Ｂ】本発明の第１２の実施形態におけるアナログ伝送システムを示す。
【図１６Ａ】本発明の実施形態における、ＡＷＧによって多重化された後の、４つのＤＱＰＳＫ信号のスペクトルを示す。
【図１６Ｂ】８チャネルＡＷＧによって逆多重化された後の、信号のスペクトルを示す
【図１７Ａ】本発明の実施形態における、復調された信号の波形を示す。
【図１７Ｂ】本発明の実施形態における、アイパターンを示す。
【図１８】本発明の実施形態における、デマルチプレクサを有するＤＱＰＳＫシステムの受信器の構成を示す。
【図１９】本発明の実施形態における、復調のための離調フィルタを有するＤＱＰＳＫシステムの受信器の構成を示す。
【発明を実施するための形態】
【００２０】
本発明について、添付の図面及び例示的実施形態を参照して、以下に詳細に説明する。
【００２１】
本発明の実施形態では、マルチチャネルＤＱＰＳＫシステムの適用においてＤＱＰＳＫ信号生成モジュール内の符号化規則を変更することにより、受信器が、適切な中心周波数オフセットを有するデマルチプレクサを直接使用して、ＤＱＰＳＫ信号を復調及び検出する。このようにして、２つのＡＭＺＩと、２つのバランス検出器とを省くことが可能である。よって、システムが単純化され、システムコストが低下し、信頼性が向上する。
【００２２】
実施形態１
本発明の第１の実施形態で提供されるＤＱＰＳＫシステムは、送信器と受信器とを含む。送信器は、入力された第１の元の信号と第２の元の信号とをプリコーディングし、同相信号と直交信号とを生成し、同相信号を変調して第１のＮＲＺ−ＤＰＳＫ信号を生成し、直交信号を変調して第２のＮＲＺ−ＤＰＳＫ信号を生成し、第１のＮＲＺ−ＤＰＳＫ信号又は第２のＮＲＺ−ＤＰＳＫ信号に対して９０度位相シフトを実行し、他方のＮＲＺ−ＤＰＳＫ信号と干渉させてＤＱＰＳＫ信号を取得し、ＤＱＰＳＫ信号を受信器に送信するように構成される。受信器は、送信器から送信されたＤＱＰＳＫ信号を離調フィルタモードで復調し、光／電気（Ｏ／Ｅ）変換を介して、第１の元の信号と第２の元の信号とを復元するように構成される。
【００２３】
図３に示すように、送信器は、プリコーダ３１０と、第１のＭＺＭ３２０と、第２のＭＺＭ３３０と、干渉器３４０とを含む。この実施形態は２つの変調器に基づくが、変調器の実際の数は必要に応じて変えてもよい。プリコーダ３１０は、第１の元の信号と第２の元の信号とを受信し、第１の元の信号と第２の元の信号とを所定の符号化規則に従ってプリコーディングして同相信号と直交信号とを生成するように構成される。第１のＭＺＭ３２０は、変調、及び同相信号による駆動を介して、第１のＮＲＺ−ＤＰＳＫ信号を取得するように構成される。第２のＭＺＭ３３０は、変調、及び直交信号による駆動を介して、第２のＮＲＺ−ＤＰＳＫ信号を取得するように構成される。干渉器３４０は、第１のＮＲＺ−ＤＰＳＫ信号又は第２のＮＲＺ−ＤＰＳＫ信号に対して９０度位相シフトを実行し、他方のＮＲＺ−ＤＰＳＫ信号と干渉させてＤＱＰＳＫ信号を取得し、ＤＱＰＳＫ信号を受信器に送信するように構成される。
【００２４】
図４に示すように、受信器は、スプリッタ４１０と、第１の離調フィルタ４２０と、第２の離調フィルタ４３０と、第１のＯ／Ｅ変換器４４０と、第２のＯ／Ｅ変換器４５０とを含む。この実施形態は２つの離調フィルタと２つのＯ／Ｅ変換器とに基づくが、離調フィルタ及びＯ／Ｅ変換器の実際の数は必要に応じて変えてもよい。スプリッタ４１０は、送信器から送信されたＤＱＰＳＫ信号を２つのＤＱＰＳＫ信号に分割し、２つの信号を出力するように構成される。第１の離調フィルタ４２０は、スプリッタによって出力された一方のＤＱＰＳＫ信号を離調フィルタモードで復調し、復調された信号を第１のＯ／Ｅ変換器４４０に出力するように構成される。第２の離調フィルタ４３０は、スプリッタによって出力された他方のＤＱＰＳＫ信号を離調フィルタモードで復調し、復調された信号を第２のＯ／Ｅ変換器４５０に出力するように構成される。第１のＯ／Ｅ変換器４４０は、第１の離調フィルタ４２０によって復調された信号を電気信号に変換し、復元された第１の元の信号を出力するように構成される。第２のＯ／Ｅ変換器４５０は、第２の離調フィルタ４３０によって復調された信号を電気信号に変換し、復元された第２の元の信号を出力するように構成される。
【００２５】
本発明の第１の実施形態において、送信器を変更せずに、受信器を、図５に示すものに変更してもよいことは明らかである。すなわち、受信器は、離調フィルタ５１０と、スプリッタ５２０と、第１のＯ／Ｅ変換器５３０と、第２のＯ／Ｅ変換器５４０とを含む。離調フィルタ５１０は、送信器から送信されたＤＱＰＳＫ信号を離調フィルタモードで復調し、復調された信号をスプリッタに出力するように構成される。スプリッタ５２０は、離調フィルタから送信された、復調された信号を、２つの復調された信号に分割し、これらの２つの復調された信号を出力するように構成される。第１のＯ／Ｅ変換器５３０は、スプリッタによって出力された一方の復調された信号を電気信号に変換し、復元された第１の元の信号を出力するように構成される。第２のＯ／Ｅ変換器５４０は、スプリッタによって出力された他方の復調された信号を電気信号に変換し、復元された第２の元の信号を出力するように構成される。
【００２６】
実施形態２
本発明の第２の実施形態で提供されるＤＱＰＳＫシステムは、送信器と受信器とを含む。送信器は、入力されたＮ個の第１の元の信号とＮ個の第２の元の信号とをプリコーディングし、Ｎ個の同相信号とＮ個の直交信号とを生成し、Ｎ個の同相信号を変調してＮ個の第１のＮＲＺ−ＤＰＳＫ信号を生成し、Ｎ個の直交信号を変調してＮ個の第２のＮＲＺ−ＤＰＳＫ信号を生成し、Ｎ個の第１のＮＲＺ−ＤＰＳＫ信号又はＮ個の第２のＮＲＺ−ＤＰＳＫ信号に対して９０度位相シフトを実行し、他方のＮ個のＮＲＺ−ＤＰＳＫ信号と干渉させてＮ個のＤＱＰＳＫ信号を取得し、Ｎ個のＤＱＰＳＫ信号をＮチャネルＤＱＰＳＫ信号に多重化し、ＮチャネルＤＱＰＳＫ信号を受信器に送信するように構成される。受信器は、送信器から送信されたＮチャネルＤＱＰＳＫ信号をＮ個のＤＱＰＳＫ信号に逆多重化し、Ｎ個のＤＱＰＳＫ信号を離調フィルタモードで復調し、Ｏ／Ｅ変換を介して、Ｎ個の第１の元の信号とＮ個の第２の元の信号とを復元するように構成される。ここで、Ｎは２以上の整数である。
【００２７】
送信器は、Ｎ個のＤＱＰＳＫ信号生成モジュールと、１つのＮチャネルＡＷＧとを含む。各ＤＱＰＳＫ信号生成モジュールは、プリコーダと、第１のＭＺＭと、第２のＭＺＭと、干渉器とを含む。プリコーダは、第１の元の信号と第２の元の信号とを受信し、第１の元の信号と第２の元の信号とを所定の符号化規則に従ってプリコーディングし、同相信号と直交信号とを生成するように構成される。第１のＭＺＭは、変調、及び同相信号による駆動を介して、第１のＮＲＺ−ＤＰＳＫ信号を取得するように構成される。第２のＭＺＭは、変調、及び直交信号による駆動を介して、第２のＮＲＺ−ＤＰＳＫ信号を取得するように構成される。干渉器は、第１のＮＲＺ−ＤＰＳＫ信号又は第２のＮＲＺ−ＤＰＳＫ信号に対して９０度位相シフトを実行し、他方のＮＲＺ−ＤＰＳＫ信号と干渉させてＤＱＰＳＫ信号を取得するように構成される。ＮチャネルＡＷＧは、Ｎ個のＤＱＰＳＫ信号生成モジュールによって生成されたＮ個のＤＱＰＳＫ信号をＮチャネルＤＱＰＳＫ信号に多重化し、ＮチャネルＤＱＰＳＫ信号を受信器に送信するように構成される。
【００２８】
受信器は、ＮチャネルＡＷＧと、Ｎ個のスプリッタと、２Ｎ個の離調フィルタと、２Ｎ個のＯ／Ｅ変換器とを含む。この実施形態では、Ｎ個のスプリッタは、Ｎチャネルスプリッタによって置き換えられてもよく、２Ｎ個の離調フィルタは、同様に、２つのＮチャネル離調フィルタによって置き換えられてもよい。ＮチャネルＡＷＧは、送信器から送信された１つのＮチャネルＤＱＰＳＫ信号をＮ個のＤＱＰＳＫ信号に逆多重化し、各ＤＱＰＳＫ信号を、対応するスプリッタに出力するように構成される。スプリッタは、ＮチャネルＡＷＧから送信された、逆多重化されたＮ個のＤＱＰＳＫ信号のうちの１つを、２つのＤＱＰＳＫ信号に分割し、２つのＤＱＰＳＫ信号を出力するように構成される。離調フィルタは、スプリッタによって出力された１つのＤＱＰＳＫ信号を離調フィルタモードで復調し、復調された信号を、対応するＯ／Ｅ変換器に出力するように構成される。Ｏ／Ｅ変換器は、離調フィルタから送信された復調された信号を電気信号に変換し、復元されたＮ個の第１の元の信号又はＮ個の第２の元の信号のうちの、１つの元の信号を出力するように構成される。
【００２９】
この実施形態において、送信器を変更せずに、受信器が、２ＮチャネルＡＷＧと、２Ｎ個のＯ／Ｅ変換と、をさらに含むようにしてもよいことは明らかである。２ＮチャネルＡＷＧは、送信器から送信された１つのＮチャネルＤＱＰＳＫ信号を離調フィルタモードで復調して２Ｎ個の復調された信号を生成し、各復調された信号を、対応するＯ／Ｅ変換器に出力するように構成される。Ｏ／Ｅ変換器は、２ＮチャネルＡＷＧによって出力された、１つの復調された信号を、電気信号に変換し、復元されたＮ個の第１の元の信号又はＮ個の第２の元の信号のうちの１つの元の信号を出力するように構成される。
【００３０】
この実施形態における送信器を変更せずに、受信器が、スプリッタと、第１のＡＤＭと、第２のＡＤＭと、第１のＮチャネルＡＷＧと、第２のＮチャネルＡＷＧと、２Ｎ個のＯ／Ｅ変換器と、をさらに含むようにしてもよいことは明らかである。スプリッタは、送信器から送信された１つのＮチャネルＤＱＰＳＫ信号を、２つのＮチャネルＤＱＰＳＫ信号に分割し、ＮチャネルＤＱＰＳＫ信号を出力するように構成される。第１のＡＤＭは、スプリッタによって出力された１つのＮチャネルＤＱＰＳＫ信号から、奇数チャネル信号を抽出し、この奇数チャネル信号を離調フィルタモードで復調してＮ個の復調された信号を生成し、復調された信号を第１のＡＷＧに出力するように構成される。第２のＡＤＭは、スプリッタによって出力された１つのＮチャネルＤＱＰＳＫ信号から、偶数チャネル信号を抽出し、この偶数チャネル信号を離調フィルタモードで復調してＮ個の復調された信号を生成し、復調された信号を第２のＡＷＧに出力するように構成される。第１のＡＷＧは、第１のＡＤＭから送信されたＮ個の復調された信号を逆多重化し、各復調された信号を、対応するＯ／Ｅ変換器に出力するように構成される。第２のＡＷＧは、第２のＡＤＭから送信されたＮ個の復調された信号を逆多重化し、各復調された信号を、対応するＯ／Ｅ変換器に出力するように構成される。Ｏ／Ｅ変換器は、第１のＡＷＧ又は第２のＡＷＧによって出力された、復調された信号を、電気信号に変換し、復元されたＮ個の第１の元の信号又はＮ個の第２の元の信号のうちの、１つの元の信号を出力するように構成される。
【００３１】
実施形態３
本発明の第３の実施形態で提供される送信器は、ＤＱＰＳＫシステムにおいて適用される。図６に示すように、送信器は、入力された第１の元の信号と第２の元の信号とをプリコーディングし、同相信号と直交信号とを生成するように構成された、第１のモジュール６１０と、同相信号を変調して第１のＮＲＺ−ＤＰＳＫ信号を生成し、直交信号を変調して第２のＮＲＺ−ＤＰＳＫ信号を生成するように構成された、第２のモジュール６２０と、第１のＮＲＺ−ＤＰＳＫ信号又は第２のＮＲＺ−ＤＰＳＫ信号に対して９０度位相シフトを実行し、他方のＮＲＺ−ＤＰＳＫ信号と干渉させてＤＱＰＳＫ信号を取得し、ＤＱＰＳＫ信号を送信するように構成された、第３のモジュール６３０とを含む。
【００３２】
実施形態４
この実施形態で提供される受信器は、ＤＱＰＳＫシステムにおいて適用される。図７に示すように、受信器は、第１のモジュール７１０と、第２のモジュール７２０とを含む。第１のモジュール７１０は、受信されたＤＱＰＳＫ信号を離調フィルタモードで復調するように構成される。ＤＱＰＳＫ信号を取得する方法は、送信器において、入力された第１の元の信号と第２の元の信号とをプリコーディングし、同相信号と直交信号とを生成し、同相信号を変調して第１のＮＲＺ−ＤＰＳＫ信号を生成し、直交信号を変調して第２のＮＲＺ−ＤＰＳＫ信号を生成し、第１のＮＲＺ−ＤＰＳＫ信号又は第２のＮＲＺ−ＤＰＳＫ信号に対して９０度位相シフトを実行し、他方のＮＲＺ−ＤＰＳＫ信号と干渉させてＤＱＰＳＫ信号を取得し、ＤＱＰＳＫ信号を送信することを含む。第２のモジュール７２０は、Ｏ／Ｅ変換を介して、復調された信号から第１の元の信号と第２の元の信号とを復元するように構成される。
【００３３】
第１のモジュールは、スプリッタと、第１の離調フィルタと、第２の離調フィルタとを含む。スプリッタは、受信されたＤＱＰＳＫ信号を２つのＤＱＰＳＫ信号に分割し、この２つのＤＱＰＳＫ信号を出力するように構成される。第１の離調フィルタは、スプリッタによって出力された、一方のＤＱＰＳＫ信号を離調フィルタモードで復調し、復調された信号を第２のモジュールに出力するように構成される。第２の離調フィルタは、スプリッタによって出力された、他方のＤＱＰＳＫ信号を離調フィルタモードで復調し、復調された信号を第２のモジュールに出力するように構成される。
【００３４】
第１のモジュールは、離調フィルタと、スプリッタとを含んでもよい。離調フィルタは、受信されたＤＱＰＳＫ信号を離調フィルタモードで復調し、復調された信号をスプリッタに出力するように構成される。スプリッタは、離調フィルタから送信された、復調された信号を、２つの復調された信号に分割し、復調された信号を第２のモジュールに出力するように構成される。
【００３５】
実施形態５
本発明の第５の実施形態で提供される送信器は、ＤＱＰＳＫシステムにおいて適用される。図８に示すように、送信器は、入力されたＮ個の第１の元の信号とＮ個の第２の元の信号とをプリコーディングし、Ｎ個の同相信号とＮ個の直交信号とを生成するように構成された、第１のモジュール８１０と、Ｎ個の相信号を変調してＮ個の第１のＮＲＺ−ＤＰＳＫ信号を生成し、Ｎ個の直交信号を変調してＮ個の第２のＮＲＺ−ＤＰＳＫ信号を生成するように構成された、第２のモジュール８２０と、Ｎ個の第１のＮＲＺ−ＤＰＳＫ信号又はＮ個の第２のＮＲＺ−ＤＰＳＫ信号に対して９０度位相シフトを実行し、他方のＮ個のＮＲＺ−ＤＰＳＫ信号と干渉させてＮ個のＤＱＰＳＫ信号を取得するように構成された、第３のモジュール８３０と、Ｎ個のＤＱＰＳＫ信号をＮチャネルＤＱＰＳＫ信号に多重化し、ＮチャネルＤＱＰＳＫ信号を送信するように構成された、第４のモジュール８４０とを含む。
【００３６】
実施形態６
この実施形態で提供される受信器は、ＤＱＰＳＫシステムにおいて適用される。受信器は、第１のモジュールと、第２のモジュールとを含む。第１のモジュールは、受信されたＤＱＰＳＫ信号をＮ個のＤＱＰＳＫ信号に逆多重化し、Ｎ個のＤＱＰＳＫ信号を離調フィルタモードで復調するように構成される。ＮチャネルＤＱＰＳＫ信号を取得する方法は、送信器において、入力されたＮ個の第１の元の信号とＮ個の第２の元の信号とをプリコーディングし、Ｎ個の同相信号とＮ個の直交信号とを生成し、Ｎ個の同相信号を変調してＮ個のＮＲＺ−ＤＰＳＫ信号を生成し、Ｎ個の直交信号を変調してＮ個の第２のＮＲＺ−ＤＰＳＫ信号を生成し、Ｎ個の第１のＮＲＺ−ＤＰＳＫ信号又はＮ個の第２のＮＲＺ−ＤＰＳＫ信号に対して９０度位相シフトを実行し、他方のＮ個のＮＲＺ−ＤＰＳＫ信号と干渉させてＮ個のＤＱＰＳＫ信号を取得し、Ｎ個のＤＱＰＳＫ信号をＮチャネルＤＱＰＳＫ信号に多重化し、ＮチャネルＤＱＰＳＫ信号を送信することを含み、ここで、Ｎは２以上の整数である。第２のモジュールは、Ｏ／Ｅ変換を介して、復調された信号からＮ個の第１の元の信号とＮ個の第２の元の信号とを復元するように構成される。
【００３７】
第１のモジュールは、ＮチャネルＡＷＧと、Ｎ個のスプリッタと、２Ｎ個の離調フィルタとを含む。ＮチャネルＡＷＧは、受信されたＮチャネルＤＱＰＳＫ信号をＮ個のＤＱＰＳＫ信号に逆多重化し、各ＤＱＰＳＫ信号を、対応するスプリッタに出力するように構成され、スプリッタは、ＮチャネルＡＷＧから送信された、逆多重化されたＮ個のＤＱＰＳＫ信号のうちの１つのＤＱＰＳＫ信号を、２つのＤＱＰＳＫ信号に分割し、この２つのＤＱＰＳＫ信号を出力するように構成され、離調フィルタは、スプリッタによって出力された、１つのＤＱＰＳＫ信号を離調フィルタモードで復調し、復調された信号を第２のモジュールに出力するように構成される。
【００３８】
第１のモジュールは、受信されたＮチャネルＤＱＰＳＫ信号を離調フィルタモードで逆多重化して２Ｎ個の復調された信号を生成し、復調された信号を第２のモジュールに出力するように構成された、２ＮチャネルＡＷＧを含んでもよい。
【００３９】
第１のモジュールは、スプリッタと、第１のＡＤＭと、第２のＡＤＭと、第１のＡＷＧと、第２のＡＷＧとを含んでもよい。スプリッタは、受信されたＮチャネルＤＱＰＳＫ信号を、２つのＤＱＰＳＫ信号に分割し、このＤＱＰＳＫ信号を出力するように構成される。第１のＡＤＭは、スプリッタによって出力されたＮチャネルＤＱＰＳＫ信号から、奇数チャネル信号を抽出し、奇数チャネル信号を離調フィルタモードで復調してＮ個の復調された信号を生成し、復調された信号を第１のＡＷＧに出力するように構成される。第２のＡＤＭは、スプリッタによって出力されたＮチャネルＤＱＰＳＫ信号から、偶数チャネル信号を抽出し、偶数チャネル信号を離調フィルタモードで復調してＮ個の復調された信号を生成し、復調された信号を第２のＡＷＧに出力するように構成される。第１のＡＷＧは、第１のＡＤＭから送信されたＮ個の復調された信号を逆多重化し、各復調された信号を第２のモジュールに出力するように構成される。第２のＡＷＧは、第２のＡＤＭから送信されたＮ個の復調された信号を逆多重化し、各復調された信号を第２のモジュールに出力するように構成される。
【００４０】
実施形態７
この実施形態は送信器を提供する。図９に示すように、２つの無関係な２０Ｇｂｐｓのランダムなストリームｕ及びｖが、元のビット信号として使用され、回路領域内でプリコーディングされた後、同相信号Ｉと直交信号Ｑとに分割される。信号Ｉ及びＱは、２つのＭＺＭによってそれぞれ変調される。単純な復号機能を実施するために、符号化規則は適切に変更される。符号化式は、式（３）又は式（４）に示す通りである。
【００４１】
【数３】
2011526445.tif 000005
（３）
【００４２】
又は、
【数４】
2011526445.tif 000006
（４）
【００４３】
式（３）及び（４）は、最も単純なアンド−オア基準（ａｎｄ−ｏｒ  ｓｔａｎｄａｒｄ）に従う。２つの式によって表される論理関係は同じである。表１は、式（３）及び（４）の符号化規則を示す。
【００４４】
【表１】
2011526445.tif 000007
【００４５】
加えて、符号化規則は、表２に示すものに変更されてもよい。
【００４６】
【表２】
2011526445.tif 000008
【００４７】
この場合、対応する符号化式は、以下の通りである。
【数５】
2011526445.tif 000009
（５）
又は
【００４８】
【数６】
2011526445.tif 000010
（６）
【００４９】
実施形態８
この実施形態は、信号を復調するために離調フィルタを使用する受信器を提供する。フィルタの中心波長は、キャリア中心波長と正確には整合しておらず、キャリア中心波長を基準として離調される。図１０に示すように、２つの離調フィルタが、ＤＱＰＳＫ信号を復調するために使用される。符号化規則（３）及び（４）に従えば、信号ｕが第１の離調フィルタによって出力され、信号ｖが第２の離調フィルタによって出力される。符号化規則（５）及び（６）に従えば、信号ｖが第１の離調フィルタによって出力され、信号ｕが第２の離調フィルタによって出力される。
【００５０】
ファイバグレーティング、薄膜フィルタ、及びＡＷＧなどの、多くの装置をＤＱＰＳＫ信号を復調するために使用することができ、これにより、フィルタ機能を実施することができる。良好な出力信号品質を得るために、帯域幅及び離調に対して特定の要件が課される。フィルタの帯域幅及び離調は、確実にフィルタの線形領域がキャリア中心周波数を通り抜けるように選択されなければならない。フィルタの帯域幅が大きい場合、離調に対する要求は高く、かつ、出力信号振幅は小さい。出力信号振幅が小さく、かつ、フィルタの帯域幅が小さい場合、離調に対する要求は低い。この場合、位相変化情報を抽出することは困難である。一般に、フィルタの帯域幅はフィルタの離調に等しく、これは信号レートの０．６〜１．５倍である。
【００５１】
実施形態９
この実施形態では、逆多重化及び復調のプロセスが組み合わせられる。図１１に示すように、チャネル間の間隔が２００ＧＨｚである場合、１００ＧＨｚのチャネル間隔を有するＡＷＧが、信号を逆多重化及び復調するために使用される。この場合、ＤＱＰＳＫ信号のキャリア中心波長は、ＡＷＧのチャネル中心波長と整合させられず、ＡＷＧの２つのチャネルの間に置かれる。このようにして、ＡＷＧの２つの隣接するチャネルが、ＤＱＰＳＫ信号の１つのチャネルを復調及び逆多重化するために使用される。
【００５２】
実施形態１０
本発明の第１０の実施形態は、図１２に示すような、ＤＱＰＳＫ変調形式に基づくＤＷＤＭシステムを提供する。以下では、ＡＷＧに基づく実施形態について説明する。Ｎ個のＤＱＰＳＫ信号が、ＮチャネルＡＷＧによって１つの信号に多重化され、この信号は、ファイバリンクを介して、復調のために受信器に送信される。受信器においては、ＤＱＰＳＫ信号を逆多重化及び復調するために、ＮチャネルＡＷＧが使用される。ＮチャネルＡＷＧ上では、多重化された信号のうちの１つを復調するために、２つの隣接したチャネルが使用される。２つのチャネルの使用波長（ｗｏｒｋｉｎｇ  ｗａｖｅｌｅｎｇｔｈｓ）と、送信器における多重化されたチャネルの中心周波数との間には、特定のオフセットが存在する。このようにして、元のＤＱＰＳＫ信号からの適切なオフセットを使用して、信号Ｕ及びＶが２つのチャネルから直接復調されることが可能である。
【００５３】
実施形態１１
本発明の第１１の実施形態は、図１３に示すような、４０Ｇｂｐｓ  ＤＱＰＳＫシステムに基づく。チャネル間隔が１００ＧＨｚである場合、５０ＧＨｚのチャネル間隔を有するデマルチプレクサが受信器において使用される。しかし、出力チャネルの通過帯域波長は、元の標準通過帯域波長を基準として２５ＧＨｚだけドリフトされる。このようにして、デマルチプレクサにおける２つの隣接するチャネルが、元のライン上の１つのチャネルを逆多重化及び復号するために使用されることが可能である。
【００５４】
この実施形態では、チャネル中心波長は、高いオフセット公差を有する。４０Ｇｂｐｓ  ＤＱＰＳＫ信号に対して、チャネル間隔が１００ＧＨｚよりも大きい場合、図１３に示す解決法が、復調及び逆多重化のために使用されることが可能である。しかし、チャネル間隔が５０ＧＨｚである場合、同じ解決法が、復調及び逆多重化のために使用されることはできない。使用すると、深刻なチャネルクロストークが発生する可能性がある。
【００５５】
４０Ｇｂｐｓ  ＤＱＰＳＫシステムを例に取ると、ラインチャネル間隔が５０ＧＨｚである場合、受信器が、２５ＧＨｚのチャネル間隔を使用することによって信号を正確に復号及び逆多重化することは、深刻なチャネルクロストークのせいでできない。この場合、ＡＤＭ技術が使用される必要がある。すなわち、元のチャネルの奇数チャネルと偶数チャネルとが分離され、１００ＧＨｚの間隔を有する復調された信号が取得され、ＡＷＧデマルチプレクサが使用されて信号が復号及び逆多重化される。図１４に示すように、具体的な実装解決法は以下の通りである。ファイバリンク上を伝送されたＮチャネルＤＱＰＳＫ信号が、スプリッタによって２つのＮチャネルＤＱＰＳＫ信号に分割され、２つのＮチャネルＤＱＰＳＫ信号が、第１のＡＤＭ及び第２のＡＤＭにそれぞれ入力され、第１のＡＤＭが、一方のＮチャネルＤＱＰＳＫ信号から奇数チャネル信号を抽出し、ＮチャネルＤＱＰＳＫ信号を離調フィルタモードで復調してＮ個の復調された信号を生成し、Ｎ個の復調された信号を逆多重化のためにＮチャネルＡＷＧ１に出力し、各復調された信号がＯ／Ｅ変換器に対応し、第２のＡＤＭが、他方のＮチャネルＤＱＰＳＫ信号から偶数チャネル信号を抽出し、ＮチャネルＤＱＰＳＫ信号を離調フィルタモードで復調してＮ個の復調された信号を生成し、Ｎ個の復調された信号を逆多重化のためにＮチャネルＡＷＧ２に出力し、各復調された信号がＯ／Ｅ変換器に対応する。
【００５６】
実施形態１２
この実施形態では、図１５に示すような、アナログ伝送システムが提供される。４つのＮＲＺ−ＤＱＰＳＫ信号のキャリア中心周波数は、１９３．１ＴＨｚ、１９３．３ＴＨｚ、１９３．５ＴＨｚ、及び１９３．７ＴＨｚであり、信号は８チャネルＡＷＧによって多重化される。８チャネルＡＷＧの中心周波数はオフセットされず、通過帯域の中心は、キャリアの中心周波数と整合させられる。受信器においては、８チャネルＡＷＧが、逆多重化及び復調のために使用される。８つのチャネルの中心周波数は、１９３．０５ＴＨｚ、１９３．１５ＴＨｚ、１９３．２５ＴＨｚ、１９３．３５ＴＨｚ、１９３．４５ＴＨｚ、１９３．５５ＴＨｚ、１９３．６５ＴＨｚ、及び１９３．７５ＴＨｚである。図１６は、ＡＷＧによって多重化された後の、４つのＤＱＰＳＫ信号のスペクトル、及び、８チャネルＡＷＧによって逆多重化された後の、信号のスペクトルを示す。図１７は、復調された信号の波形及びアイパターンを示す。但し、ＡＷＧのチャネル間隔は、国際電気通信連合−電気通信標準化部門（ＩＴＵ−Ｔ）標準に準拠しなければならないということ、及び、復調は、スペクトルが対称であることを必要とするということを考慮して、逆多重化及び復調のための、ＡＷＧの各中心波長のオフセットキャリアは、５０ＧＨｚであり、各ＤＰＱＳＫ信号キャリアは、ＡＷＧの２つの隣接するチャネルの中央に置かれる。しかし、復調効果は最良ではない。例えば、小さな振幅を有するいくつかの信号が、波形及びアイパターン上に現れる場合がある。
【００５７】
この実施形態では、マルチチャネルＤＱＰＳＫシステムが、ＡＷＧを例として使用することによって実装される。これは、その他のマルチプレクサ及びデマルチプレクサ（例えば、ファイバグレーティング、薄膜フィルタ、又は分散フィルタ機能を有する装置（例えば、体積グレーティング、及びＦＰ標準デバイス（ＦＰ  ｓｔａｎｄａｒｄ  ｄｅｖｉｃｅ）））を使用することによって実装されてもよい。
【００５８】
この実施形態では、図１８に示すように、受信器は、マルチプレクサに対応するデマルチプレクサ（同じチャネル数と、各チャネルのキャリア波長に対応する中心波長とを有する）を使用することによって、マルチチャネルＤＱＰＳＫ信号を逆多重化し、次に、２つの離調フィルタを使用することによって、各ＤＱＰＳＫ信号を復調して、元のデータストリームを取得してもよい。
【００５９】
この実施形態では、図１９に示すように、受信器は、スプリッタを使用することによって、マルチ波長信号を複数のマルチ波長信号に分割し、次に、離調フィルタを使用することによって、各マルチ波長信号を復調して、元のデータストリームを取得してもよい。
【００６０】
本発明の一実施形態における、信号を処理する方法は、以下を含む。
【００６１】
１．送信器が、入力された第１の元の信号と第２の元の信号とをプリコーディングして、同相信号と直交信号とを生成する。
【００６２】
プリコーディングは、以下の符号化規則に従って実行される。
【００６３】
【数７】
2011526445.tif 000011
又は
【００６４】
【数８】
2011526445.tif 000012
【００６５】
上記の規則において、ｕは第１の元の信号を表し、ｖは第２の元の信号を表し、
Ｉはプリコーディングされた同相信号を表し、Ｑはプリコーディングされた直交信号を表す。
【００６６】
プリコーディングは、以下の符号化規則に従って実行される。
【００６７】
【数９】
2011526445.tif 000013
又は
【００６８】
【数１０】
2011526445.tif 000014
【００６９】
上記の規則において、ｕは第１の元の信号を表し、ｖは第２の元の信号を表し、
Ｉはプリコーディングされた同相信号を表し、Ｑはプリコーディングされた直交信号を表す。
【００７０】
２．送信器が、同相信号を変調して第１のＮＲＺ−ＤＰＳＫ信号を生成し、直交信号を変調して第２のＮＲＺ−ＤＰＳＫ信号を生成する。
【００７１】
３．送信器が、第１のＮＲＺ−ＤＰＳＫ信号又は第２のＮＲＺ−ＤＰＳＫ信号に対して９０度位相シフトを実行し、他方のＮＲＺ−ＤＰＳＫ信号と干渉させてＤＱＰＳＫ信号を取得する。
【００７２】
方法は、送信器がＤＱＰＳＫ信号を送信し、受信器が、受信されたＤＱＰＳＫ信号を離調フィルタモードで復調し、Ｏ／Ｅ変換を介して、復調された信号から第１の元の信号とＮ個の第２の元の信号とを復元することを更に含む。
【００７３】
本発明の一実施形態における、信号を処理する別の方法は、以下を含む。
【００７４】
１．送信器が、入力されたＮ個の第１の元の信号とＮ個の第２の元の信号とをプリコーディングして、Ｎ個の同相信号とＮ個の直交信号とを生成する。
【００７５】
２．送信器が、Ｎ個の同相信号を変調してＮ個の第１のＮＲＺ−ＤＰＳＫ信号を生成し、Ｎ個の直交信号を変調してＮ個の第２のＮＲＺ−ＤＰＳＫ信号を生成する。
【００７６】
３．送信器が、Ｎ個の第１のＮＲＺ−ＤＰＳＫ信号又はＮ個の第２のＮＲＺ−ＤＰＳＫ信号に対して９０度位相シフトを実行し、他方のＮ個のＮＲＺ−ＤＰＳＫ信号と干渉させてＮ個のＤＱＰＳＫ信号を取得し、このＮ個のＤＱＰＳＫ信号を１つのＮチャネルＤＱＰＳＫ信号に多重化する。ここで、Ｎは２以上の整数である。
【００７７】
方法は、送信器がＮチャネルＤＱＰＳＫ信号を送信し、受信器が、受信されたＮチャネルＤＱＰＳＫ信号を離調フィルタモードでＮ個のＤＱＰＳＫ信号に逆多重化し、Ｏ／Ｅ変換を介して、Ｎ個の第１の元の信号とＮ個の第２の元の信号とを復元することを更に含む。
【００７８】
本発明の実施形態では、送信器のプリコーディングが適切に指定されているが、他の符号化規則が解決法の実現可能性に影響を及ぼすことはない。この場合、復調されたデータストリームは、元のデータストリームとは異なるが、復調されたデータストリームと元のデータストリームとの間には、特定のマッピング関係が存在する。データストリームが復調された後で、元のデータを復元するために、回路又はソフトウェアが使用されてもよい。
【００７９】
本発明の実施形態では、ＤＱＰＳＫ信号を復調するために、２つの離調フィルタが使用される。このようにして、２つのＡＭＺＩと２つのバランス検出器とが復調のために使用される従来のＤＱＰＳＫ復調解決策が単純化され、ＡＭＺＩの２つのアーム間の位相差に対する正確な制御が不必要となり、従って、信号制御及び調節が容易になり、システムコストが大幅に低下する。
【００８０】
加えて、本発明の実施形態では、マルチチャネルＤＱＰＳＫシステムの逆多重化及び復調のプロセスが組み合わせられ、デマルチプレクサの２つの隣接したチャネルが、１つのＤＱＰＳＫ信号を逆多重化及び復調するために直接使用され、デマルチプレクサの２つの隣接したチャネルの中心波長が、キャリアの中心波長から適切にオフセットされる。デマルチプレクサの後の離調フィルタが省かれ、コストが更に低下し、解決策の実用性が向上する。
【００８１】
更に、本発明の実施形態では、フィルタの離調は特定の動作範囲を有する。従って、フィルタは、例えば、４０ＧｂｐｓハイブリッドＤＱＰＳＫシステム及び５０ＧｂｐｓハイブリッドＤＱＰＳＫシステムなどの、特定の範囲内のマルチレートハイブリッド伝送システムに適用可能であってもよい。明らかに、レート間に非常に大きな差がある場合、等しいチャネル間隔を有するデマルチプレクサを使用することによって逆多重化及び復調を実施することは困難である。
【００８２】
前述の実施形態の説明を介して、当業者は、本発明が、ハードウェアのみを使用することによって、又は、ソフトウェアと、必要な汎用ハードウェアプラットフォームとを使用することによって実施されることが可能であるということを理解するであろう。そのような理解に基づいて、本発明の技術的解決法は、ソフトウェア製品の形態で実施されてもよい。ソフトウェア製品は、コンパクトディスク読み取り専用メモリ（ＣＤ−ＲＯＭ）、ユニバーサルシリアルバス（ＵＳＢ）フラッシュディスク、又はリムーバブルハードディスクであってもよい、不揮発性記憶媒体に記憶されてもよい。ソフトウェア製品は、本発明の実施形態において提供された方法をコンピュータ装置（パーソナルコンピュータ、サーバ、又はネットワーク装置）が実行することを可能にする、複数の命令を含む。
【００８３】
上記の説明は本発明の例示的実施形態にすぎず、当業者は、本発明の範囲から逸脱することなく、様々な改良及び改善を行うことが可能であるということに留意されたい。全てのそのような修正及び改善は、本発明によって包含されることを意図するものである。
【図１】
2011526445.tif 000021
【図２】
2011526445.tif 000022
【図３】
2011526445.tif 000023
【図４】
2011526445.tif 000024
【図５】
2011526445.tif 000025
【図６】
2011526445.tif 000026
【図７】
2011526445.tif 000027
【図８】
2011526445.tif 000028
【図９】
2011526445.tif 000029
【図１０】
2011526445.tif 000030
【図１１】
2011526445.tif 000031
【図１２】
2011526445.tif 000032
【図１３】
2011526445.tif 000033
【図１４】
2011526445.tif 000034
【図１５Ａ】
2011526445.tif 000035
【図１５Ｂ】
2011526445.tif 000036
【図１６Ａ】
2011526445.tif 000037
【図１６Ｂ】
2011526445.tif 000038
【図１７Ａ】
2011526445.tif 000039
【図１７Ｂ】
2011526445.tif 000040
【図１８】
2011526445.tif 000041
【図１９】
2011526445.tif 000042
【手続補正書】
【提出日】平成23年2月2日(2011.2.2)
【手続補正１】
【補正対象書類名】明細書
【補正対象項目名】０００１
【補正方法】削除
【補正の内容】
【手続補正２】
【補正対象書類名】明細書
【補正対象項目名】００２９
【補正方法】変更
【補正の内容】
【００２９】
この実施形態において、送信器を変更せずに、受信器が、２ＮチャネルＡＷＧと、２Ｎ個のＯ／Ｅ変換器と、をさらに含むようにしてもよいことは明らかである。２ＮチャネルＡＷＧは、送信器から送信された１つのＮチャネルＤＱＰＳＫ信号を離調フィルタモードで復調して２Ｎ個の復調された信号を生成し、各復調された信号を、対応するＯ／Ｅ変換器に出力するように構成される。Ｏ／Ｅ変換器は、２ＮチャネルＡＷＧによって出力された、１つの復調された信号を、電気信号に変換し、復元されたＮ個の第１の元の信号又はＮ個の第２の元の信号のうちの１つの元の信号を出力するように構成される。
【手続補正３】
【補正対象書類名】明細書
【補正対象項目名】００３５
【補正方法】変更
【補正の内容】
【００３５】
実施形態５
本発明の第５の実施形態で提供される送信器は、ＤＱＰＳＫシステムにおいて適用される。図８に示すように、送信器は、入力されたＮ個の第１の元の信号とＮ個の第２の元の信号とをプリコーディングし、Ｎ個の同相信号とＮ個の直交信号とを生成するように構成された、第１のモジュール８１０と、Ｎ個の同相信号を変調してＮ個の第１のＮＲＺ−ＤＰＳＫ信号を生成し、Ｎ個の直交信号を変調してＮ個の第２のＮＲＺ−ＤＰＳＫ信号を生成するように構成された、第２のモジュール８２０と、Ｎ個の第１のＮＲＺ−ＤＰＳＫ信号又はＮ個の第２のＮＲＺ−ＤＰＳＫ信号に対して９０度位相シフトを実行し、他方のＮ個のＮＲＺ−ＤＰＳＫ信号と干渉させてＮ個のＤＱＰＳＫ信号を取得するように構成された、第３のモジュール８３０と、Ｎ個のＤＱＰＳＫ信号をＮチャネルＤＱＰＳＫ信号に多重化し、ＮチャネルＤＱＰＳＫ信号を送信するように構成された、第４のモジュール８４０とを含む。
【手続補正４】
【補正対象書類名】明細書
【補正対象項目名】００３６
【補正方法】変更
【補正の内容】
【００３６】
実施形態６
この実施形態で提供される受信器は、ＤＱＰＳＫシステムにおいて適用される。受信器は、第１のモジュールと、第２のモジュールとを含む。第１のモジュールは、受信されたＤＱＰＳＫ信号をＮ個のＤＱＰＳＫ信号に逆多重化し、Ｎ個のＤＱＰＳＫ信号を離調フィルタモードで復調するように構成される。ＮチャネルＤＱＰＳＫ信号を取得する方法は、送信器において、入力されたＮ個の第１の元の信号とＮ個の第２の元の信号とをプリコーディングし、Ｎ個の同相信号とＮ個の直交信号とを生成し、Ｎ個の同相信号を変調してＮ個の第１のＮＲＺ−ＤＰＳＫ信号を生成し、Ｎ個の直交信号を変調してＮ個の第２のＮＲＺ−ＤＰＳＫ信号を生成し、Ｎ個の第１のＮＲＺ−ＤＰＳＫ信号又はＮ個の第２のＮＲＺ−ＤＰＳＫ信号に対して９０度位相シフトを実行し、他方のＮ個のＮＲＺ−ＤＰＳＫ信号と干渉させてＮ個のＤＱＰＳＫ信号を取得し、Ｎ個のＤＱＰＳＫ信号をＮチャネルＤＱＰＳＫ信号に多重化し、ＮチャネルＤＱＰＳＫ信号を送信することを含み、ここで、Ｎは２以上の整数である。第２のモジュールは、Ｏ／Ｅ変換を介して、復調された信号からＮ個の第１の元の信号とＮ個の第２の元の信号とを復元するように構成される。
【手続補正５】
【補正対象書類名】明細書
【補正対象項目名】００３９
【補正方法】変更
【補正の内容】
【００３９】
第１のモジュールは、スプリッタと、第１のＡＤＭと、第２のＡＤＭと、第１のＡＷＧと、第２のＡＷＧとを含んでもよい。スプリッタは、受信されたＮチャネルＤＱＰＳＫ信号を、２つのＤＱＰＳＫ信号に分割し、この２つのＤＱＰＳＫ信号を出力するように構成される。第１のＡＤＭは、スプリッタによって出力されたＮチャネルＤＱＰＳＫ信号から、奇数チャネル信号を抽出し、奇数チャネル信号を離調フィルタモードで復調してＮ個の復調された信号を生成し、復調された信号を第１のＡＷＧに出力するように構成される。第２のＡＤＭは、スプリッタによって出力されたＮチャネルＤＱＰＳＫ信号から、偶数チャネル信号を抽出し、偶数チャネル信号を離調フィルタモードで復調してＮ個の復調された信号を生成し、復調された信号を第２のＡＷＧに出力するように構成される。第１のＡＷＧは、第１のＡＤＭから送信されたＮ個の復調された信号を逆多重化し、各復調された信号を第２のモジュールに出力するように構成される。第２のＡＷＧは、第２のＡＤＭから送信されたＮ個の復調された信号を逆多重化し、各復調された信号を第２のモジュールに出力するように構成される。
【手続補正６】
【補正対象書類名】明細書
【補正対象項目名】００５６
【補正方法】変更
【補正の内容】
【００５６】
実施形態１２
この実施形態では、図１５に示すような、アナログ伝送システムが提供される。４つのＮＲＺ−ＤＱＰＳＫ信号のキャリア中心周波数は、１９３．１ＴＨｚ、１９３．３ＴＨｚ、１９３．５ＴＨｚ、及び１９３．７ＴＨｚであり、信号は８チャネルＡＷＧによって多重化される。８チャネルＡＷＧの中心周波数はオフセットされず、通過帯域の中心は、キャリアの中心周波数と整合させられる。受信器においては、８チャネルＡＷＧが、逆多重化及び復調のために使用される。８つのチャネルの中心周波数は、１９３．０５ＴＨｚ、１９３．１５ＴＨｚ、１９３．２５ＴＨｚ、１９３．３５ＴＨｚ、１９３．４５ＴＨｚ、１９３．５５ＴＨｚ、１９３．６５ＴＨｚ、及び１９３．７５ＴＨｚである。図１６は、ＡＷＧによって多重化された後の、４つのＤＱＰＳＫ信号のスペクトル、及び、８チャネルＡＷＧによって逆多重化された後の、信号のスペクトルを示す。図１７は、復調された信号の波形及びアイパターンを示す。但し、ＡＷＧのチャネル間隔は、国際電気通信連合−電気通信標準化部門（ＩＴＵ−Ｔ）標準に準拠しなければならないということ、及び、復調は、スペクトルが対称であることを必要とするということを考慮して、逆多重化及び復調のための、ＡＷＧの各中心波長のオフセットキャリアは、５０ＧＨｚであり、各ＤＱＰＳＫ信号キャリアは、ＡＷＧの２つの隣接するチャネルの中央に置かれる。しかし、復調効果は最良ではない。例えば、小さな振幅を有するいくつかの信号が、波形及びアイパターン上に現れる場合がある。
【手続補正７】
【補正対象書類名】特許請求の範囲
【補正対象項目名】全文
【補正方法】変更
【補正の内容】
【特許請求の範囲】
【請求項１】
送信器を含む差動４相位相変調（ＤＱＰＳＫ）システムであって、前記送信器は、
第１の元の信号と第２の元の信号とを、所定の符号化規則に従ってプリコーディングし、同相信号と直交信号とを生成するように構成された、プリコーダと、
前記同相信号を変調して第１の差動位相変調（ＤＰＳＫ）信号を生成するように構成された、第１の変調器と、
前記直交信号を変調して第２のＤＰＳＫ信号を生成するように構成された、第２の変調器と、
前記第１のＤＰＳＫ信号又は前記第２のＤＰＳＫ信号に対して９０度位相シフトを実行し、他方のＤＰＳＫ信号と干渉させ、かつ重ね合わせてＤＱＰＳＫ信号を取得し、前記ＤＱＰＳＫ信号を受信器に送信するように構成された、干渉器と
を備える、システム。
【請求項２】
前記受信器を更に含み、
前記受信器は、
前記送信器から送信された前記ＤＱＰＳＫ信号を２つの信号に分割し、前記２つの信号を出力するように構成された、スプリッタと、
前記スプリッタによって出力された前記２つのＤＱＰＳＫ信号を復調するように構成された、復調器と
を含む、請求項１に記載のシステム。
【請求項３】
前記変調器は、マッハツェンダー変調器（ＭＺＭ）であり、
第１のＭＺＭは、変調、及び前記同相信号を使用することによる駆動を介して、前記第１のＤＰＳＫ信号を取得するように構成され、
第２のＭＺＭは、変調、及び前記直交信号を使用することによる駆動を介して、前記第２のＤＰＳＫ信号を取得するように構成され、
前記干渉器は、前記第１のＤＰＳＫ信号又は前記第２のＤＰＳＫ信号に対して前記９０度位相シフトを実行し、他方のＤＰＳＫ信号と干渉させて前記ＤＱＰＳＫ信号を取得し、前記ＤＱＰＳＫ信号を前記受信器に送信するように構成された、請求項１に記載のシステム。
【請求項４】
前記復調器は、第１の離調フィルタと、第２の離調フィルタとを備え、
前記第１の離調フィルタは、前記スプリッタによって出力された、一方のＤＱＰＳＫ信号を離調フィルタモードで復調し、前記復調されたＤＱＰＳＫ信号を出力するように構成され
前記第２の離調フィルタは、前記スプリッタによって出力された、他方のＤＱＰＳＫ信号を離調フィルタモードで復調し、前記復調されたＤＱＰＳＫ信号を出力するように構成された、請求項２に記載のシステム。
【請求項５】
前記受信器は、離調フィルタと、スプリッタとを備え、
前記離調フィルタは、前記送信器から送信された前記ＤＱＰＳＫ信号を離調フィルタモードで復調し、前記復調されたＤＱＰＳＫ信号を前記スプリッタに出力するように構成され、
前記スプリッタは、前記離調フィルタによって復調された前記信号を、２つの復調された信号に分割し、前記２つの信号を出力するように構成された、請求項１に記載のシステム。
【請求項６】
前記所定の符号化規則は、
【数１】
2011526445.tif 000043
又は
【数２】
2011526445.tif 000044
であり、ここで、ｕは前記第１の元の信号を表し、ｖは前記第２の元の信号を表し、
Ｉは前記プリコーディングされた同相信号を表し、Ｑは前記プリコーディングされた直交信号を表す、請求項１〜５のいずれか一項に記載のシステム。
【請求項７】
差動４相位相変調（ＤＱＰＳＫ）システムであって、
Ｎ個の第１の元の信号とＮ個の第２の元の信号とを、所定の符号化規則に従ってプリコーディングして、Ｎ個の同相信号とＮ個の直交信号とを生成し、前記Ｎ個の同相信号を変調してＮ個の第１の差動位相変調（ＤＰＳＫ）信号を生成し、前記Ｎ個の直交信号を変調してＮ個の第２のＤＰＳＫ信号を生成し、前記Ｎ個の第１のＤＰＳＫ信号又は前記Ｎ個の第２のＤＰＳＫ信号に対して９０度位相シフトを実行し、他方のＮ個のＤＰＳＫ信号と干渉させ、かつ重ね合わせてＮ個のＤＱＰＳＫ信号を取得し、前記Ｎ個のＤＱＰＳＫ信号をＮチャネルＤＱＰＳＫ信号に多重化し、前記ＮチャネルＤＱＰＳＫ信号を受信器に送信するように構成された、送信器と、
前記送信器から送信された前記ＮチャネルＤＱＰＳＫ信号を離調フィルタモードでＮ個のＤＱＰＳＫ信号に逆多重化して、前記Ｎ個の第１の元の信号と前記Ｎ個の第２の元の信号とを復元するように構成された、前記受信器と
を備え、ここで、Ｎは２以上の整数である、システム。
【請求項８】
送信器によって、入力された第１の元の信号と第２の元の信号とをプリコーディングし、同相信号と直交信号とを生成し、前記同相信号を変調して第１の差動位相変調（ＤＰＳＫ）信号を生成し、前記直交信号を変調して第２のＤＰＳＫ信号を生成し、前記第１のＤＰＳＫ信号又は前記第２のＤＰＳＫ信号に対して９０度位相シフトを実行し、他方のＤＰＳＫ信号と干渉させて差動４相位相変調（ＤＱＰＳＫ）信号を取得すること
を含む、信号を処理する方法。
【請求項９】
前記プリコーディングすることが基づく符号化規則は、
【数３】
2011526445.tif 000045
又は
【数４】
2011526445.tif 000046
であり、ここで、ｕは前記第１の元の信号を表し、ｖは前記第２の元の信号を表し、
Ｉは前記プリコーディングされた同相信号を表し、Ｑは前記プリコーディングされた直交信号を表す、請求項８に記載の方法。
【請求項１０】
前記プリコーディングすることが基づく符号化規則は、
【数５】
2011526445.tif 000047
又は
【数６】
2011526445.tif 000048
であり、ここで、ｕは前記第１の元の信号を表し、ｖは前記第２の元の信号を表し、
Ｉは前記プリコーディングされた同相信号を表し、Ｑは前記プリコーディングされた直交信号を表す、請求項８に記載の方法。
【請求項１１】
前記送信器によって、前記ＤＱＰＳＫ信号を送信し、
受信器によって、受信されたＤＱＰＳＫ信号を離調フィルタモードで復調し、光／電気（Ｏ／Ｅ）変換を介して、前記復調された信号から、前記第１の元の信号と、前記第２の元の信号とを復元すること
を更に含む、請求項８に記載の方法。
【請求項１２】
送信器によって、入力されたＮ個の第１の元の信号とＮ個の第２の元の信号とをプリコーディングし、Ｎ個の同相信号とＮ個の直交信号とを生成し、
前記Ｎ個の同相信号を変調してＮ個の第１の非ゼロ復帰差動位相変調（ＮＲＺ−ＤＰＳＫ）信号を生成し、前記Ｎ個の直交信号を変調してＮ個の第２のＤＰＳＫ信号を生成し、
前記Ｎ個の第１のＤＰＳＫ信号又は前記Ｎ個の第２のＤＰＳＫ信号に対して９０度位相シフトを実行し、他方のＮ個のＤＰＳＫ信号と干渉させてＮ個のＤＱＰＳＫ信号を取得し、前記Ｎ個のＤＱＰＳＫ信号をＮチャネルＤＱＰＳＫ信号に多重化すること
を含み、ここで、Ｎは２以上の整数である、信号を処理する方法。
【請求項１３】
前記送信器によって、前記ＮチャネルＤＱＰＳＫ信号を送信し、
受信器によって、受信されたＮチャネルＤＱＰＳＫ信号をＮ個のＤＱＰＳＫ信号に逆多重化し、前記Ｎ個のＤＱＰＳＫ信号を離調フィルタモードで復調し、光／電気（Ｏ／Ｅ）変換を介して、前記Ｎ個の第１の元の信号と、前記Ｎ個の第２の元の信号とを復元すること
を更に含む、請求項１２に記載の方法。
【手続補正８】
【補正対象書類名】図面
【補正対象項目名】図６
【補正方法】変更
【補正の内容】
【図６】
2011526445.tif 000049
【手続補正９】
【補正対象書類名】図面
【補正対象項目名】図８
【補正方法】変更
【補正の内容】
【図８】
2011526445.tif 000050
【国際調査報告】
2011526445.tif 000051
2011526445.tif 000052
2011526445.tif 000053
2011526445.tif 000054